(57)【要約】【課題】多様な屋外環境に設置可能な高精細度で高輝度の画像表示装置を実現する。【解決手段】断熱手段が配設された筺体２と、画像表示手段としてのプロジェクター３、プロジェクター３から出力された画像を表示するスクリーン６と、筺体２の内部の冷却を行う冷却手段２２、２３とを備え、断熱手段は、プロジェクター３の周辺部に配設して断熱を行う第１の断熱部１１と、スクリーン６の周辺部に配設して断熱を行う第２の断熱部１２とを備える。【選択図】図３
2009276488.tif 000002
【特許請求の範囲】
【請求項１】
所定の投射距離において所定の寸法および所定の輝度で画像を前面投射可能な画像表示手段と、前記画像表示手段が投射した画像を表示する透過型のスクリーンとを筺体に収納し、前記画像表示手段の投射経路上に配設された前記スクリーンに前記所定の寸法より小さな寸法および前記所定の輝度より高い輝度で画像を背面投射することを特徴とする画像表示装置。
【請求項２】
前記筺体は、断熱手段と、前記筺体の内部の冷却を行う冷却手段とを備え、前記断熱手段は、前記画像表示手段の周辺部に配設して断熱を行う第１の断熱手段と、前記スクリーンの周辺部に配設して断熱を行う第２の断熱手段とを備えることを特徴とする請求項１に記載の画像表示装置。
【請求項３】
前記第１の断熱手段および前記第２の断熱手段の配設場所を、壁面状部材により区画することを特徴とする請求項２に記載の画像表示装置。
【請求項４】
所定の投射距離において所定の寸法および所定の輝度で画像を前面投射可能な画像表示手段と、断熱手段と、前記画像表示手段と前記断熱手段とを収納する筺体と、前記筺体の内部の冷却を行う冷却手段とを備え、前記断熱手段は、前記画像表示手段の周辺部に配設して断熱を行うことを特徴とする画像表示装置。
【請求項５】
前記画像表示手段は外装筺体を備えることを特徴とする請求項１から請求項４のいずれか１項に記載の画像表示装置。
【請求項６】
前記外装筺体は吸気口と排気口を備えることを特徴とする請求項５に記載の画像表示装置。
【請求項７】
加熱手段をさらに備えることを特徴とする請求項１から請求項６のいずれか１項に記載の画像表示装置。
【請求項８】
前記筺体の内部で発生する水滴を受容する皿状の容器をさらに備えることを特徴とする請求項１から請求項７のいずれか１項に記載の画像表示装置。
【請求項９】
前記冷却手段は、圧縮器と凝縮器および蒸発器とを備えた第１の冷却手段と、熱伝導による熱交換器を備えた第２の冷却手段とを備えることを特徴とする請求項１から請求項８のいずれか１項に記載の画像表示装置。
【請求項１０】
前記第２の冷却手段はヒートシンク、ヒートパイプ、空気式熱交換器のいずれかを備えることを特徴とする請求項９に記載の画像表示装置。
【請求項１１】
前記筺体を密閉構造とし、前記画像表示手段に係わる排気に対して、前記第２の冷却手段により冷却を行った後、前記第１の冷却手段により冷却を行うことを特徴とする請求項９または請求項１０に記載の画像表示装置。
【請求項１２】
前記筺体は、可搬性を備えたことを特徴とする請求項１から請求項１１のいずれか１項に記載の画像表示装置。
【発明の詳細な説明】
【技術分野】
【０００１】
本発明は、画像表示装置に関するものであり、特に屋外など、外光や照明のある環境下において使用する画像表示装置に関するものである。
【背景技術】
【０００２】
近年、画像表示装置の大型化、高輝度化、高精細化の進展とネットワーク環境の普及に伴って、従来の街頭ポスターなどに代わり、映像媒体による電子広告の配信ビジネスが急速に拡大している。街頭ポスターでは広告内容を変更するたびにポスターの貼り替え作業等が発生するが電子広告では配信サーバのコンテンツを変更するのみで瞬時に広告内容の変更が可能となり有用な広告媒体として注目されている。
【０００３】
電子広告では不特定多数の視聴者を対象に大型の画像表示装置を屋外の公共の場所などに設置して使用する。映像を室内で利用する場合と異なり、屋外広告に利用する場合には、高精細度かつ高輝度の表示画像が不可欠の要件であるなど、大型画面における表示品質の確保が最も重要な課題となる。さらに、屋外使用においては、埃や風雨の影響にも十分な配慮が必要である。
【０００４】
大型画面を表示する場合には、液晶ディスプレイやプラズマディスプレイ、ＬＥＤなどの表示装置により直接大画面表示を行う方法と、プロジェクターにより画像情報を拡大投射して表示する方法を利用することができる。
【０００５】
このうち、ＬＥＤを用いた表示装置は、高輝度の画像を提供することができるが、画素ピッチが粗いため、高精細にしようとすると、画面サイズを大きくしなければならず、結果として高コストになっていた。また、画面の大型化に伴い、消費電力も増加する。
【０００６】
液晶ディスプレイやプラズマディスプレイを利用する方法は、高精細の画像を提供することができるが、通常の屋内用ディスプレイでは輝度が不十分であり、高輝度を得ようとすると消費電力が極めて大きくなるという問題がある。さらに、これらの直視型のディスプレイは、パネル部分が直射日光に曝されると、パネル内部に近接して配置されているディスプレイ構成素子の温度が上昇し、性能が劣化する。
【０００７】
一方、プロジェクターを利用する方法は、ミラーを介して映像を透過型スクリーンへ投射する背面投射型（リア方式）プロジェクターまたは映像を直接反射型スクリーンに投射する前面投射型（フロント方式）プロジェクターの２つの方式が利用可能であり、投射ユニットがスクリーンから離れて配置されるため、直視型のディスプレイに比べて、直射日光の影響を低減することが可能である。
【０００８】
しかしながら、プロジェクターの光源が発熱体となることに加え、ＤＭＤ（Ｄｉｇｉｔａｌ  Ｍｉｃｒｏｍｉｒｒｏｒ  Ｄｅｖｉｃｅ）や液晶表示素子といった画像表示素子、偏光フィルタ等の温度上昇によって性能が劣化しやすい光学デバイスが用いられているため、筺体内部を効率的に冷却することが重要となる。とりわけ、屋外において直接太陽光に曝される環境では、直射日光による筺体の温度上昇が問題になるため、使用環境を考慮したプロジェクターの温度管理が必要となる。
【０００９】
これまで、屋外設置用の表示装置としては、例えば、プロジェクターの筺体内に空調機を配設する方法が提案されている（例えば、特許文献１〜３参照）。
【００１０】
また、投射型表示装置を効率的に冷却する技術としては、空調機、熱交換器、断熱性部材、仕切り板などを使用して冷却効果を向上させる方法が、従来、開示されている（例えば、特許文献４〜６参照）。
【特許文献１】特開２００２−３１１５０８号公報
【特許文献２】特開２００２−３４１８１０号公報
【特許文献３】特開２００３−１４９７３９号公報
【特許文献４】特開２０００−２９８３１１号公報
【特許文献５】特開２００５−１４８６２４号公報
【特許文献６】特開２００１−２０９１２５号公報
【発明の開示】
【発明が解決しようとする課題】
【００１１】
しかしながら、従来、開示されているプロジェクターの冷却効果を高める技術では、屋外設置における対策が十分とはいえない。特許文献１〜３においては、空調機の性能を適切に活用する具体的な機構構造は明確化されていない。特許文献４〜６においては、画像表示素子およびその周辺部の冷却機構構造について公開されているが、スクリーンを含めた筺体全体の冷却機構構造は最適化されていない。
【００１２】
特に街頭ポスターなどに代わり、広告媒体として屋外で使用する場合には、スクリーンまでを含めた筺体全体の設置環境に関する詳細な検討が不可欠であり、気温や日照の条件等に関する厳しい耐候性が要求される。
【００１３】
プロジェクターを使用した投射型の画像表示装置において冷却効果を高める従来の技術は、画像表示素子を主とした投射ユニットの放熱効果を向上させるに止まり、光源やスクリーン等の装置に搭載された構成要素全ての冷却条件を総合的に満たすには課題が残り、多様な屋外環境に設置する画像表示装置としては十分な冷却を実現できていなかった。
【００１４】
さらに、屋外環境においては、投射される画像の十分な視認性を確保することが重要であるが、屋内用プロジェクターに適用される通常の投射形態のままでは、十分な輝度を確保できていなかった。
【００１５】
本発明は、以上の課題を解決するものであり、多様な屋外環境に設置可能な高精細度で高輝度の画像表示装置を実現することを目的とする。
【課題を解決するための手段】
【００１６】
上述したような目的を達成するために、本発明の画像表示装置は、所定の投射距離において所定の寸法および所定の輝度で画像を前面投射可能な画像表示手段と、画像表示手段が投射した画像を表示する透過型のスクリーンとを筺体に収納し、画像表示手段の投射経路上に配設されたスクリーンに所定の寸法より小さな寸法および所定の輝度より高い輝度で画像を背面投射する。
【００１７】
このような構成により、所定の投射距離において所定の寸法および所定の輝度で画像を投射可能な画像表示手段の投射距離を変更することにより、画像を縮小し、輝度を高めて表示することが可能となる。したがって、屋内投射用の一般的な前面投射型の画像表示手段を使用することにより、簡単に輝度を高めることができ、屋外で使用可能な画像表示装置を実現することができる。
【００１８】
また、本発明の画像表示装置では、筺体は、断熱手段と、筺体の内部の冷却を行う冷却手段とを備え、断熱手段は、画像表示手段の周辺部に配設して断熱を行う第１の断熱手段と、スクリーンの周辺部に配設して断熱を行う第２の断熱手段とを備えることを特徴とする。
【００１９】
このような構成により、断熱手段は、画像表示手段の周辺部に配設して断熱を行う第１の断熱手段と、スクリーンの周辺部に配設して断熱を行う第２の断熱手段とにより、画像表示装置の内部を区画して断熱を行い、画像表示手段およびスクリーンを冷却することが可能となる。したがって、プロジェクターを使用した投射型の画像表示装置において、プロジェクターやスクリーン等の搭載機器や部品に関するそれぞれの冷却条件に対して適切に温度制御を行うことができ、多様な屋外環境に設置可能な高精細度で高輝度の画像表示装置を実現することができる。特に、耐候性に優れ、厳しい外気温下でも動作させることができるため、屋外広告等の情報提供サービスに使用可能な利便性の高い画像表示装置を実現することができる。
【００２０】
また、本発明の画像表示装置では、第１の断熱手段および第２の断熱手段の配設場所を、壁面状部材により区画する。このような構成により、画像表示装置の内部を壁面状部材により区画して断熱を行い、画像表示手段およびスクリーンを冷却することが可能となる。したがって、区画された断熱領域の区分を確実に行うことができ、投射型の画像表示装置において、プロジェクターやスクリーン等の搭載機器や部品に関するそれぞれの冷却条件に対して適切かつ確実に温度制御を行うことができる。
【００２１】
所定の投射距離において所定の寸法および所定の輝度で画像を前面投射可能な画像表示手段と、断熱手段と、画像表示手段と断熱手段とを収納する筐体と、筺体の内部の冷却を行う冷却手段とを備え、断熱手段は、画像表示手段の周辺部に配設して断熱を行う。このような構成により、フロント方式で投射する画像表示装置を実現することができる。
【００２２】
また、本発明の画像表示装置では、画像表示手段は外装筺体を備える。このような構成により、画像表示手段内部の加熱された空気を外装筺体の外部に拡散することなく、排気口などから外部に排気することが可能となる。したがって、画像表示手段の排気を効率良く確実に行うことができる。
【００２３】
また、本発明の画像表示装置では、外装筺体は吸気口と排気口を備える。このような構成により、吸気口と排気口を利用して画像表示装置の冷却を行うことが可能となる。したがって、画像表示手段の冷却を効率良く確実に行うことができる。
【００２４】
また、本発明の画像表示装置では、加熱手段をさらに備える。このような構成により、画像表示装置の内部の温度を上昇させることが可能となる。したがって、低温環境下でも使用することができ、画像表示装置の使用温度範囲を拡大することができる。
【００２５】
また、本発明の画像表示装置では、筺体の内部で発生する水滴を受容する皿状の容器をさらに備える。このような構成により、筺体の内部で発生する水滴を受容し、蒸発させることができる。したがって、気候等の周囲条件や画像表示装置の内部の熱環境等に起因する水滴が発生した場合にも、画像表示装置の機能に影響を与えることがなく、安定した品質を維持することができる。
【００２６】
また、本発明の画像表示装置では、冷却手段は、圧縮器と凝縮器および蒸発器とを備えた第１の冷却手段と、熱伝導による熱交換器を備えた第２の冷却手段とを備える。このような構成により、一般の空調機と熱交換器を併用して画像表示装置の冷却を行うことが可能となる。さらに、画像表示装置の筺体を密閉構造にすることにより、内部の冷却を確実に行うことができるとともに、第２の冷却手段は電力を消費しないので少ない電力で効果的に冷却することが可能となる。
【００２７】
また、本発明の画像表示装置では、第２の冷却手段はヒートシンク、ヒートパイプ、空気式熱交換器のいずれかを備える。このような構成により、熱交換器としてヒートシンク、ヒートパイプ、空気式熱交換器を使用することが可能となる。したがって、安定した高品質の熱交換を効率良く行うことができる。
【００２８】
また、本発明の画像表示装置では、筺体を密閉構造とし、画像表示手段に係わる排気に対して、第２の冷却手段により冷却を行った後、第１の冷却手段により冷却を行う。このような構成により、画像表示手段に係わる排気を２つの冷却手段を使用して２段階で行うことが可能となる。したがって、冷却の効率を高める効果を発揮することができる。
【００２９】
また、本発明の画像表示装置では、筺体は、可搬性を備える。このような構成により、画像表示装置の向きを変えることや移動することが容易となり、画像表示装置の設置およびメンテナンス等において、利便性が向上することができる。
【発明の効果】
【００３０】
本発明による画像表示装置によれば、高い輝度で画像を表示でき、搭載された構成要素別の特性を考慮して冷却することにより、画像表示装置の耐候性を適切かつ効果的に高め、屋外広告媒体として多様な屋外環境に設置可能な、高精細度かつ高輝度で利便性の高い画像表示装置を実現することができる。
【発明を実施するための最良の形態】
【００３１】
以下、本発明の実施の形態について、図１から図５を用いて説明する。
【００３２】
（実施の形態）
まず、本発明の実施の形態における画像表示装置を案出するに至った基本的な考え方について、図１により説明する。本発明は前面投射型の画像表示手段を背面投射型として使用した画像表示装置であり、画像表示手段として、屋内用の拡大表示装置として一般的に使用される前面投射型のプロジェクターを使用する。図１（ａ）に示すように、前面投射型のプロジェクターＰは、機器の仕様として所定の投射距離（標準的な投射距離）Ｄ１において所定の寸法（標準的な寸法）のスクリーンＳ１上に所定の輝度（標準的な輝度：例えば、Ｋ１）で画像を投射して表示することができる。
【００３３】
この場合、プロジェクターＰに対して投射距離Ｄ１をＤ２に変化させて小さくすると、投射距離Ｄ２におけるスクリーンＳ２に投射される画像の寸法は投射距離に比例して小さくなり、画像の表示面積はスクリーンＳ１に対して投射距離の二乗に比例して縮小される。
【００３４】
一方、スクリーンＳ２における表示画像の輝度はスクリーンＳ１に投射する場合の標準的な輝度Ｋ１に対して、投射距離の二乗に反比例して増加する。したがって、屋内用の前面投射型のプロジェクターＰと用途に適した寸法のスクリーンＳ２を筺体に収納し、スクリーンＳ２に対するプロジェクターＰの投射距離がＤ２となるようにプロジェクターＰおよびスクリーンＳ２を配置して筺体を構成することにより、屋内用の前面投射型プロジェクターや背面投射型プロジェクターよりも高輝度で小型の画像表示装置を実現することができる。
【００３５】
図１（ｂ）は、上記に述べた方法により小型で高輝度の画像表示装置を構成した場合の事例を示す。この事例では、縦型の筺体Ｃの前面上部にスクリーンＳ２を配設するとともに、前面投射型のプロジェクターＰを筺体Ｃの下部に上向きに配置し、ミラーＭを配設することによりプロジェクターＰの投射経路を装置の上下方向から前後方向に変更している。これにより、画像表示装置の奥行を小さくし、使用上の利便性を高めることができる。
【００３６】
なお、プロジェクターＰとしては、例えば、２００インチの投射画像を輝度５００カンデラ毎平方メートルで投射表示が可能な標準的な屋内用のプロジェクターを使用することができる。この場合、５０インチのスクリーンＳ２を搭載した画像表示装置においては、投射距離は５０／２００＝１／４となり、前述のように輝度は距離の二乗に反比例して増加するため、輝度が１６倍、すなわち８，０００カンデラ毎平方メートルとなり、屋外で使用可能な高輝度の画像表示装置を提供することができる。
【００３７】
つぎに、本発明の実施の形態における画像表示装置の基本構成および機能について、図により説明する。図２は、本発明の実施の形態における画像表示装置１（以下、「本装置１」と略記する）の外観図、図３は、画像表示装置１の主要な構成を示す配置図である。
【００３８】
本装置１は、筺体２の内部に画像表示手段としての投射型のプロジェクターユニット３（以下、プロジェクター３と略記する）、窓４、ミラー５および透過型のスクリーン６を備え、プロジェクター３から出力された画像情報を窓４およびミラー５を経由してスクリーン６に投射することにより、画像を大画面で表示する機能を発揮することができる。プロジェクター３にはパソコンなどの情報処理装置（図示せず）が接続されて、情報提供サービスに必要な情報を蓄積し、または通信回線を介して外部から情報を入手することができる。
【００３９】
本装置の構成上の特徴として、断熱手段が配設された筺体と、画像表示手段と、画像表示手段から出力された画像を表示するスクリーンと、筺体の内部の冷却を行う冷却手段とを備え、断熱手段は、画像表示手段の周辺部に配設して断熱を行う第１の断熱手段と、スクリーンの周辺部に配設して断熱を行う第２の断熱手段とを備えている。
【００４０】
以下、本装置１を構成する主要な要素および機能について説明する。
【００４１】
筺体２は、内部が密閉構造になっている収納部７と、駆動部８に区画されている。収納部７には第１の断熱部１１、第２の断熱部１２が配設されている。第１の断熱部１１は、第１の断熱部材１１ａに窓４を組み込んだ箱状に形成され、内部に外装筺体であるカバー３ａにより周囲が覆われたプロジェクター３および加熱器２１を備えている。
【００４２】
また、第２の断熱部１２は、プロジェクター３から出力された画像情報を拡大して投射するために配置されたミラー５およびスクリーン６の周辺部において筺体２の内側の両側面および背面の内側に第２の断熱部材１２ａを配置して形成されている。さらに、収納部７には、プロジェクター３を覆って配設される第１の断熱部材１１ａと、筺体２と密閉した状態で熱交換器２２が配置されている。
【００４３】
第１の断熱部１１は、熱源としてのプロジェクター３を冷却するために配設され、蒸発器２５から供給される冷気が周囲に拡散するのを防止する機能を備えており、プロジェクター３の冷却効率を高める効果を発揮することができる。第１の断熱部１１は、第１の断熱部材１１ａの外周部が薄板状の部材１１ｂで被覆されており、第１の断熱部１１および第２の断熱部１２を、壁面により区画している。なお、第１の断熱部材１１ａの材料としては発砲ウレタンなどを使用し、窓４には複層ガラス材を使用することができる。
【００４４】
第２の断熱部１２は、筺体２が太陽熱などにより照射された場合に、ミラー５やスクリーン６などが加熱されるのを防止する目的で配設され、筺体２の内部への熱伝達を遮断する機能を備えており、プロジェクター３から出力される画像情報の拡大投射に係わる部材の温度上昇を抑制する効果を発揮することができる。第２の断熱部１２における第２の断熱部材１２ａには発砲ウレタンなどを使用し、内側表面に可視光を吸収するように黒色の放射率の高い部材を使用する。これにより、第２の断熱部１２を効果的に放熱するとともに、表示画像のコントラストを上げて画像品質を向上させている。
【００４５】
加熱器２１は、本装置１の所定箇所の温度が動作温度より低下した場合、加熱器２１を動作させることにより、動作温度まで温度を上昇させ、本装置１の温度制御を行う目的で配設されている。この構成により、本装置１を低温環境下でも使用することができる。したがって、本装置１の使用温度範囲を拡大することができる。温度の検出は、第１の断熱部１１の内部に設置した温度センサー（図示せず）により行う。
【００４６】
また、本装置１の筺体下部の駆動部８には、空調機および電源ユニット（図示せず）が配設されており、空調機は圧縮器２３、凝縮器２４および蒸発器２５を備え、蒸発器２５は第１の断熱部１１に密閉して配置され、第１の断熱部１１の内部の空気を冷却することができる。
【００４７】
空調機の循環サイクルとしては、まず、冷媒ガスが圧縮器２３により圧縮され高温になった状態で凝縮器（アルミ構造のフィン）２４に送られる。凝縮器２４中で冷媒ガスはファンにより冷却されて液化し蒸発器２５に送られ、蒸発器２５の内部で液化ガスが周囲から気化熱を奪いながら蒸発し、アルミ構造のフィンを冷却する。
【００４８】
上述の通り、本装置１は、第１の断熱部１１の内部を冷却する手段として、圧縮器２３、凝縮器２４、蒸発器２５を備えた第１の冷却手段としての空調機、および熱伝導による熱交換機能を備えた第２の冷却手段としての熱交換器２２を備えている。熱交換器２２としては、ヒートシンク、ヒートパイプ、空気式熱交換器などを使用することができる。
【００４９】
また、冷却の手順に関する特徴として、プロジェクター３を冷却するために、空調機によりプロジェクター３の内部で加熱された空気をカバー３ａの外部に導出するとともに、導出された排気熱を熱交換器２２により筺体２の外部に放熱を行った後、空調機による冷却領域を経由して２次的な冷却を行うように、仕切り板により空気の冷却経路３１、３２が形成されている。図３において、プロジェクター３から発せられる空気の冷却経路を、矢印により示す。
【００５０】
なお、本装置１の筺体２には、床部に移動用の車輪２ａが設けられており、本装置は可搬性を備えている。したがって、本装置１の向きを変えることや移動することが容易であり、本装置１の設置およびメンテナンス等において、利便性が向上する。
【００５１】
つぎに、本装置の構成に関する応用事例について、図４により説明する。
【００５２】
図４は、プロジェクター３の構成に関する応用事例の基本的な構成を示す主要配置図である。第１および第２の断熱部の構成は、図３に示す事例と同様であり、説明用の記号を一部省略する。
【００５３】
本装置１００の筺体１０２は密閉構造とせず、筺体１０２に吸気口１５１および排気口１５２を備えており、吸気口１５１から吸気して、圧縮器１２３、凝縮器１２４、蒸発器１２５から構成される空調機により第１の断熱部１１１内の冷却を行い、プロジェクター１０３内で加熱された空気の排気は、プロジェクター１０３のカバー１０３ａに設けられた排気口（図示せず）から本装置１００の筺体１０２に設けられた排気口１５２を経由して外部に排気することができる。
【００５４】
なお、筺体１０２は密閉構造ではないが、吸気口１５１にはフィルター（図示せず）が設けられ、埃などの侵入を防ぐことができる。
【００５５】
図４（ａ）は、吸気口１５１を本装置１００の前面部に設け、排気口１５２を背面部に設けた事例を示し、図４（ｂ）は、吸気口１５１を本装置１００の背面部に設け、プロジェクター１０３からの加熱空気を本装置１００の側面に設けた排気口１５２から排出する事例を示す。なお、図４（ａ）に示す事例では、筺体下部の駆動部１０８に蒸発皿１５３が配設されており、蒸発１２５による冷却で発生した水滴が蒸発皿１５３へと排水される構成となっている。そして、プロジェクター１０３から排出された排気熱により、蒸発皿１５３にたまった水滴を蒸発させることができる。
【００５６】
この構成は、筺体を密閉構造にした場合に較べて、外部に排熱するための熱交換器を配設する必要がなく、構成を簡略化し、コストを低減する効果を発揮することができる。
【００５７】
以上の通り、本発明による画像表示装置を使用することにより、プロジェクターを使用した投射型の画像表示装置において、プロジェクターやスクリーン等の搭載機器や部品に関するそれぞれの冷却条件に対して適切に温度制御を行うことができ、多様な屋外環境に設置可能な高精細度で高輝度の画像表示装置を実現することができる。特に、耐候性に優れ、厳しい外気温下でも動作させることができるため、屋外広告等の情報提供サービスに使用可能な利便性の高い画像表示装置を実現することができる。
【００５８】
なお、本装置１の用途に関する応用事例として、図３における第１の断熱部１１を第２の断熱部１２と分離して、図５に示すように、駆動部８とともに、窓２０２が設けられた筺体２０１に収納する構成とすることにより、フロント方式で投射する画像表示装置２００を実現することができる。
【産業上の利用可能性】
【００５９】
本発明による画像表示装置によれば、高輝度で耐候性に優れた画像表示装置を提供することができる。したがって、屋外で使用する画像表示装置として有用である。
【図面の簡単な説明】
【００６０】
【図１】本発明の実施の形態における画像表示装置の基本的な考え方を示す説明図
【図２】同画像表示装置の外観図
【図３】同画像表示装置の主要な構成を示す配置図
【図４】同画像表示装置の構成に関する応用事例を示す主要配置図
【図５】同画像表示装置の用途に関する応用事例を示す主要配置図
【符号の説明】
【００６１】
１、１００、２００  画像表示装置
２、１０２、２０１  筺体
２ａ  車輪
３、１０３  プロジェクター（画像表示手段）
３ａ、１０３ａ  カバー（外装筺体）
４、２０２  窓
５  ミラー
６  スクリーン
７  収納部
８、１０８  駆動部
１１、１１１  第１の断熱部
１１ａ  第１の断熱部材
１２  第２の断熱部
１２ａ  第２の断熱部材
２１  加熱器
２２  熱交換器
２３、１２３  圧縮器
２４、１２４  凝縮器
２５、１２５  蒸発器
１５１  吸気口
１５２  排気口
１５３  蒸発皿
【図１】
2009276488.tif 000003
【図２】
2009276488.tif 000004
【図３】
2009276488.tif 000005
【図４】
2009276488.tif 000006
【図５】
2009276488.tif 000007